(57)【特許請求の範囲】
【請求項１】
略円筒形状に形成された筒部と、底板と、を有する金属製の器具本体と、
前記器具本体の底板の下面に取り付けられる、ＬＥＤ基板を有するＬＥＤユニットと、
前記ＬＥＤ基板に電源を供給するリード線と、
前記リード線にはんだ付けされ、かつ前記ＬＥＤ基板にはんだ付けされて、前記リード線と前記ＬＥＤ基板とを電気的に接続する端子部と、
前記器具本体の内側に取り付けられて前記ＬＥＤユニットから照射される光を制御するための樹脂製の反射板と、を備え、
前記反射板は、反射板の底板の周囲に側板を有し、中央部に円錐台形状の反射面を有し、前記側板は、前記器具本体の筒部の内側に配置されることで、前記側板の内面が前記器具本体の筒部から隔離され、かつ、前記側板の内面には、前記反射板の前記円錐台形状の反射面に向けて突出すると共に、前記側板に沿って所定距離を置いて離間して配置される一対の隔離壁板が設けられ、
前記リード線および前記端子部は、前記一対の隔離壁板の間でのみ移動が許容され、前記リード線および前記端子部の前記器具本体に対する接触が防止される照明器具。
【発明の詳細な説明】
【技術分野】
【０００１】
本発明は、天井材の埋設孔に埋め込まれて設置されるダウンライト等に適用される照明器具に関する。
【背景技術】
【０００２】
従来より、器具本体に収容された電源部の配線基板とＬＥＤユニットのＬＥＤ基板とを、リード線により電気的に接続したものが知られている（例えば、特許文献１参照）。
【先行技術文献】
【特許文献】
【０００３】
【特許文献１】特開２００８−２０４６９２号公報（図２、段落００７５）
【発明の概要】
【発明が解決しようとする課題】
【０００４】
ところが、特許文献１は、万が一に、ＬＥＤユニットのＬＥＤ基板に電気的に接続されたリード線のはんだ等にはがれが生じた場合、リード線が金属製の器具本体に接触することがありうる。
従って、特許文献１は、万が一に、リード線が器具本体に接触した場合に、絶縁を保持できなくなって安全面において支障がある。
【０００５】
本発明は、前述した課題を解決するためになされたものであり、その目的は、安全性を確保できる照明器具を提供することにある。
【課題を解決するための手段】
【０００６】
本発明の照明器具は、略円筒形状に形成された筒部と、底板と、を有する金属製の器具本体と、前記器具本体の底板の下面に取り付けられる、ＬＥＤ基板を有するＬＥＤユニットと、前記ＬＥＤ基板に電源を供給するリード線と、前記リード線にはんだ付けされ、かつ前記ＬＥＤ基板にはんだ付けされて、前記リード線と前記ＬＥＤ基板とを電気的に接続する端子部と、前記器具本体の内側に取り付けられて前記ＬＥＤユニットから照射される光を制御するための樹脂製の反射板と、を備え、前記反射板は、反射板の底板の周囲に側板を有し、中央部に円錐台形状の反射面を有し、前記側板は、前記器具本体の筒部の内側に配置されることで、前記側板の内面が前記器具本体の筒部から隔離され、かつ、前記側板の内面には、前記反射板の前記円錐台形状の反射面に向けて突出すると共に、前記側板に沿って所定距離を置いて離間して配置される一対の隔離壁板が設けられ、前記リード線および前記端子部は、前記一対の隔離壁板の間でのみ移動が許容され、前記リード線および前記端子部の前記器具本体に対する接触が防止される。
【発明の効果】
【０００８】
本発明に係る照明器具によれば、安全性を確保できるという効果を奏する。
【図面の簡単な説明】
【０００９】
【図１】本発明に係る一実施形態の照明器具の斜め上方から視た外観斜視図
【図２】本発明に係る一実施形態の照明器具の断面斜視図
【図３】本発明に係る一実施形態の照明器具の器具本体の斜め下方から視た外観斜視図
【図４】本発明に係る一実施形態の照明器具の反射板の斜め下方から視た外観斜視図
【図５】本発明に係る一実施形態の照明器具の反射板の斜め上方から視た外観斜視図
【図６】本発明に係る一実施形態の照明器具のリード線の配策状態を説明する上下を逆にした器具本体の斜め上方から視た外観斜視図
【発明を実施するための形態】
【００１０】
以下、本発明に係る一実施形態の照明器具について図面を参照して説明する。
図１に示すように、本発明に係る一実施形態の照明器具１０は、器具本体１１と、器具本体１１の下方に取り付けられる枠体１２とを備え、不図示の天井材の埋設孔に埋め込まれてダウンライト等に適用される。
器具本体１１は、例えばアルミニウムダイキャスト等の金属製であって、略円筒形状に形成された筒部１３を有し、筒部１３の上部に複数の放熱フィン１４を有する。
器具本体１１は、不図示のブラケットを介して同じく不図示の電源ユニットが外側に取り付けられる。
枠板１２は、例えば硬質の樹脂材料により成形されており、下端部にフランジ形状の化粧板１５を有し、一対の取付ばね１６が側部の対向する位置に取り付けられている。
【００１１】
図２に示すように、照明器具１０は、器具本体１１に有する底板１７の下面にＬＥＤユニット１８が取り付けられ、ＬＥＤユニット１８の直下に反射板１９が取り付けられ、反射板１９の前方に乳白色や透明なレンズ２０が取り付けられる。
ＬＥＤユニット１８は、四角形で所定の厚みを有する蛍光体層２１がＬＥＤ基板２２の前面に封止されており、ＬＥＤ基板２２に有するプリント回路（図６参照）２３がリード線（図６参照）２４を通じて電源ユニットに電気的に接続される。
【００１２】
反射板１９は、樹脂製であって、底板２５の周囲に側板２６を有し、中央部に円錐台形状の反射面２７を有し、反射面２７の頂部に円形の開口部２８を有する。
反射板１９は、器具本体１１の内側に取り付けられることにより、反射面２７によりＬＥＤユニット１８から照射される光を制御する。
枠体１２は、レンズ２０の前方の内面に円錐台形状の補助反射面２９を有する。
【００１３】
図３に示すように、反射板１９は、開口部２８が、ＬＥＤユニット１８の蛍光体層２１の同軸上に配置される。
反射板１９は、側板２６が器具本体１１の筒部１３の内側に配置されるため、側板２６の内側が器具本体１１の筒部１３から隔離される。
【００１４】
図４および図５に示すように、反射板１９は、側板２６の内面に、反射面２７に向けて突出する一対の隔離壁板３０を有する。
一対の隔離壁板３０は、側板２６の内周面の円周方向にあらかじめ定められた距離を置いて離間する。
一対の隔離壁板３０は、側板２６の高さ寸法にほぼ同一の高さ寸法を有する。
従って、一対の隔離壁板３０が反射板１９の側板２６の内面に一体に成形されるために、独立して成形された隔離壁板を、固定手段を介して取り付ける場合と比べて、部品点数を減少でき、生産性を向上できる。
【００１５】
図６に示すように、ＬＥＤ基板２２は、固定金具３１がねじ３２により器具本体１１の底板１７の下面に取り付けられることにより器具本体１１に固定される。
ＬＥＤ基板２２は、セラミック板の面上にプリント回路２３が接合されており、プリント回路２３の端部に一対の端子接続部３３が形成される。
そして、一対の端子接続部３３に、器具本体１１の底板１７から引き出された一対のリード線２４にはんだ付けされた端子部３４がそれぞれはんだ付けされる。
このとき、器具本体１１の筒部１３の内側に反射板１９が取り付けられることにより、一対の隔離壁板３０が一対の端子接続部３３を囲むように配置される。
このように、リード線２４は、一対の隔離壁板３０に囲まれた範囲Ａ内でのみ移動を許容されることになる。
そのため、万が一に、端子部３４が端子接続部３３から外れたとしても、リード線２４および端子部３４が一対の隔離壁板３０に囲まれた範囲Ａ内でのみ移動を許容される。
従って、リード線２４および端子部３４の器具本体１１への電気的な接触を防止できる。
【００１６】
このような照明器具１０は、取付ばね１６が器具本体１１に沿うように弾性変形された状態で、器具本体１１が天井材の埋設孔内に下方から挿入される。
そして、器具本体１１が天井材の埋設孔内に挿入された後に、取付ばね１６が水平方向に弾性復元されることにより、器具本体１１が天井材に支持されて、照明器具１０が天井面に設置される。
【００１７】
以上、説明した本発明に係る一実施形態の照明器具１０によれば、万が一に、端子部３４が端子接続部３３から外れたとしても、リード線２４および端子部３４が一対の隔離壁板３０に囲まれた範囲Ａ内でのみ移動を許容される。
従って、リード線２４および端子部３４の器具本体１１への電気的な接触を防止できる。
【００１８】
また、本発明に係る一実施形態の照明器具１０によれば、一対の隔離壁板３０が反射板１９の側板２６の内面に一体に成形されるために、独立して成形された隔離壁板を、固定手段を介して取り付ける場合と比べて、部品点数を減少でき、生産性を向上できる。
【００１９】
なお、本発明の照明器具において器具本体，枠体，レンズ，取付ばね等は、前述した一実施形態に限定されるものでなく、適宜な変形や改良等が可能である。
【符号の説明】
【００２０】
１０  照明器具
１１  器具本体
１８  ＬＥＤユニット
１９  反射板
２２  ＬＥＤ基板
２４  リード線
２６  側板
３０  隔離壁板
３４  端子部
【図１】
0005776013.tif 000002
【図２】
0005776013.tif 000003
【図３】
0005776013.tif 000004
【図４】
0005776013.tif 000005
【図５】
0005776013.tif 000006
【図６】
0005776013.tif 000007